【手続補正書】
【提出日】平成17年4月7日(2005.4.7)
【手続補正１】
【補正対象書類名】明細書
【補正対象項目名】０００２
【補正方法】変更
【補正の内容】
【０００２】
WO-A-00/04106 は、水、エポキシ樹脂およびポリアクリレート（「官能性ポリアクリレートラテックス＝純粋ポリマー」）を含有する塗料系を記載している。これらの系を、アミン硬化剤と接触させて、硬化させる。このようにして得ることができる塗膜は、金属表面、特にスチールのために適しているとされ、次いでビチューメンにより上塗りされ得る。
DE-A-195 04 528 は、部分的にアクリル化されたエポキシ樹脂、即ち、エポキシおよび(メタ)アクリレート官能基の両方が１つの同じ分子中に存在する化合物を含有するアミン硬化性組成物を記載している。これらの組成物は、塗膜、特に床の基層を製造するために適しているとされている。アクリレート化樹脂は、部分的にアクリレート化されたエポキシドモノマーまたはオリゴマーであり、分子量１５０〜１０,０００を有し、少なくとも１つのエポキシド基および少なくとも１つの末端(メタ)アクリレート基を有する。硬化剤は、モノ-、ジ-またはポリアミンである。
【手続補正２】
【補正対象書類名】明細書
【補正対象項目名】００１５
【補正方法】変更
【補正の内容】
【００１５】
本発明の塗料組成物は、硬化性組成物である。硬化を、関連する専門家に既知のあらゆる方法により行うことができる。特に照射硬化（例えばＵＶ硬化）を、本発明の組成物中でＣ=Ｃ二重結合を有する成分Ｂ）を含有することにより、使用することができる。典型的なエポキシ樹脂硬化剤を使用することも望ましい場合がある。１つの実施態様において照射硬化を、エポキシ樹脂硬化剤を添加することによる硬化と組合せる。
【手続補正３】
【補正対象書類名】明細書
【補正対象項目名】００１９
【補正方法】変更
【補正の内容】
【００１９】
Ｅ１）タイプの硬化剤は、
（ａ）１種またはそれ以上のα,β-不飽和カルボン酸エステル（I）：
Ｒ2Ｒ3Ｃ=Ｃ(Ｒ4)ＣＯＯＲ1      (I)
〔式中、Ｒ1は、１５個までの炭素原子を有する芳香族または脂肪族基であり、置換基Ｒ2、Ｒ3およびＲ4は、相互に独立に、水素、２０個までの炭素原子を有する分枝または未分枝、脂肪族または芳香族基、または-(ＣＨ2)n-ＣＯＯＲ1基（式中Ｒ1は、上記と同じ定義であり、ｎは、０〜１０の数である。）を表す。〕
を、エステル交換触媒の存在下で、
（ｂ）１種またはそれ以上のヒドロキシ化合物と反応させ、
（ここで、化合物（ａ）および（ｂ）を、（ｂ）中のヒドロキシル基対α,β-不飽和カルボン酸エステル（ａ）中のエステル基ＣＯＯＲ1の当量比が、１.５:１〜１０:１の範囲であるような量で使用する。）
得られた中間生成物Ｚ１を、
（ｃ）１種またはそれ以上のモノ-、ジ-またはポリアミノポリアルキレンオキシド化合物と反応させ、
（ここで、（ｃ）のアミノ窒素原子上の反応性水素原子対中間化合物Ｚ１のエステル基の当量比を、１０:１〜１:１０の範囲に調節する。）
次いで得られた中間生成物Ｚ２を、
（ｄ）１種またはそれ以上のポリエポキシドと反応させ、
（ここで、ポリエポキシド（ｄ）中のオキシラン環対（ｃ）中で使用するモノ-、ジ-またはポリアミノポリアルキレンオキシド化合物の反応性水素原子の当量比を、１００:１〜１.５:１の値に調節する。）
次いで得られた中間生成物Ｚ３を、
（ｅ）１種またはそれ以上の第１級および／または第２級アミンと反応させる
（ここで、中間生成物Ｚ３中のオキシラン環対（ｅ）のアミノ窒素原子上の反応性Ｈ原子の当量比を、１:１.５〜１:２０の値に調節する。）
ことにより得ることができる。
【手続補正４】
【補正対象書類名】明細書
【補正対象項目名】００３９
【補正方法】変更
【補正の内容】
【００３９】
Ｅ２）タイプの硬化剤は、
（ａ）１種またはそれ以上のα,β-不飽和カルボン酸エステル（I）：
Ｒ2Ｒ3Ｃ=Ｃ(Ｒ4)ＣＯＯＲ1      (I)
〔式中、Ｒ1は、１５個までの炭素原子を有する芳香族または脂肪族基であり、置換基Ｒ2、Ｒ3およびＲ4は、相互に独立に、水素、２０個までの炭素原子を有する分枝または未分枝、脂肪族または芳香族基、または-(ＣＨ2)n-ＣＯＯＲ1基（式中Ｒ1は、上記と同じ定義であり、ｎは、０〜１０の数である。）を表す。〕
を、
（ｃ）１種またはそれ以上のモノ-、ジ-またはポリアミノポリアルキレンオキシド化合物と反応させ
（ここで、化合物（ａ）および（ｃ）を、（ｃ）のアミノ窒素原子上の反応性水素原子対カルボン酸エステル（ａ）における式（I）で示されるＣＯＯＲ1基に対してα,β位にあるＣ=Ｃ二重結合の当量比が１０:１〜１:１０であるような量で使用する。）、
次いで得られた中間生成物Ｚ４を、
（ｄ）１種またはそれ以上のポリエポキシドと反応させ
（ここで、ポリエポキシド（ｄ）中のオキシラン環対モノ-、ジ-またはポリアミノポリアルキレンオキシド化合物（ｃ）中の反応性水素原子の当量比を、１００:１〜１.５:１の値に調節する。）、
次いで得られた中間生成物Ｚ５を、
（ｅ）１種またはそれ以上の第１級および／または第２級アミンと反応させる
（ここで、中間生成物Ｚ５中のオキシラン環対（ｅ）のアミノ窒素原子上の反応性Ｈ原子の当量比を、１:１.５〜１:２０の値に調節する。）
ことにより得ることができる。
Ｅ１）タイプの硬化剤に対する前記所見は、他の点で、物質（ａ）および物質（ｃ）〜（ｅ）に当てはまる。
【手続補正５】
【補正対象書類名】明細書
【補正対象項目名】００４０
【補正方法】変更
【補正の内容】
【００４０】
Ｅ３）タイプの硬化剤は、
（ａ）１種またはそれ以上のα,β-不飽和カルボン酸エステル（I）：
Ｒ2Ｒ3Ｃ=Ｃ(Ｒ4)ＣＯＯＲ1      (I)
〔式中、Ｒ1は、１５個までの炭素原子を有する芳香族または脂肪族基であり、置換基Ｒ2、Ｒ3およびＲ4は、相互に独立に、水素、２０個までの炭素原子を有する分枝または未分枝、脂肪族または芳香族基、または-(ＣＨ2)n-ＣＯＯＲ1基（式中Ｒ1は、上記と同じ定義であり、ｎは、０〜１０の数である。）を表す。〕
を、
（ｃ）１種またはそれ以上のモノ-、ジ-またはポリアミノポリアルキレンオキシド化合物と反応させ、
（ここで、化合物（ａ）および（ｃ）を、（ｃ）のアミノ窒素原子上の反応性水素原子対カルボン酸エステル（ａ）における式（I）で示されるＣＯＯＲ1基に対してα,β位にあるＣ=Ｃ二重結合の当量比が１０:１〜１:１０であるような量で使用する。）
次いで得られた中間生成物Ｚ４を、
（ｇ）１種またはそれ以上のポリヒドロキシ化合物と反応させ、
（ここで、中間化合物Ｚ４中のエステル基対ポリヒドロキシ化合物（ｇ）中のヒドロキシル基の当量比を、１:１.１〜１:１０の値に調節する。）
次いで得られた中間生成物Ｚ６を、
（ｄ）１種またはそれ以上のポリエポキシドと反応させ、
（ここで、ポリエポキシド（ｄ）中のオキシラン環対中間生成物Ｚ６中のヒドロキシル基の当量比を、１.５:１〜６:１の値に調節する。）
次いで得られた中間生成物Ｚ７を、
（ｅ）１種またはそれ以上の第１級および／または第２級アミンと反応させる
（ここで、中間生成物Ｚ７中のオキシラン環対（ｅ）のアミノ窒素原子上の反応性Ｈ原子の当量比を、１:１.５〜１:２０の値に調節する。）
ことにより得ることができる。
Ｅ１）タイプの硬化剤に対する前記所見は、他の点で、物質（ａ）および物質（ｃ）〜（ｅ）に当てはまる。